(57)【要約】【課題】電気コード等の長尺物がドラムに捲廻されるとき、不揃いな捲き方を防止して、均一に整列せしめた状態に巻き上がることができるようにした乱巻き防止装置付き電動リールを提供する。【解決手段】枠体内にコード又はホース等の長尺物の捲廻ドラムを軸着し、円柱形状ローラ基材の外周部に右廻りの右廻り誘導溝部と左廻りの左廻り誘導部とを交叉状に形成した乱巻き防止ローラを水平状に枠体内に取着し、乱巻き防止ローラの回転時に左廻り及び右廻り誘導溝部からの離脱を阻止する離脱防止部を有し、若干回転可能なコード等のガイド体を枠体内に取着し、枠体内にセンドローラとセンドローラの上方にコード等を押付ける押付けローラを取着し、ドラム、乱巻き防止ローラ及びセンドローラを駆動するモーターをリモコン又はスイッチ操作によって駆動せしめる。【選択図】  図１
2004331310.tif 000002
【特許請求の範囲】
【請求項１】
枠体内にコード又はホース等の長尺物の捲廻ドラムを軸着し、円柱形状ローラ基材の外周部に右廻りの右廻り誘導溝部と左廻りの左廻り誘導部とを交叉状に形成した乱巻き防止ローラを水平状に前記枠体内に取着し、前記乱巻き防止ローラの回転時に前記左廻り及び右廻り誘導溝部からの離脱を阻止する離脱防止部を有し、且若干回転可能なコード等のガイド体を前記枠体内に取着し、前記枠体内にセンドローラと前記センドローラの上方にコード等を押付ける押付けローラを取着し、前記ドラム、乱巻き防止ローラ及びセンドローラを駆動するモーターをリモコン又はスイッチ操作によって駆動せしめることを特徴とする乱巻き防止装置付き電動リール。
【請求項２】
前記乱巻き防止ローラの右廻り誘導溝部を、所定の傾斜角度とピッチを有し、且螺旋状にて形成し、左廻り誘導溝部を前記右廻り誘導溝部と同じ傾斜角度とピッチにして、且螺旋状にて形成すると共に、前記左廻り及び右廻り誘導溝部が前記ローラ基材の外周部の１８０度の位置にて交叉せしめる構造とすることを特徴とする請求項１記載の乱巻き防止装置付き電動リール。
【請求項３】
前記ガイド体の上方部を、前記枠体に取着のガイド軸杆にスライド自在にして、且前記左廻り及び右廻り誘導溝部の傾斜角度に対応し若干回転可能となるように装着し、前記ガイド体のガイド部の内側にコード又はホース等の長尺物を出入させる貫通部を形成し、下方部に前記誘導溝部内に嵌挿し、且内側部位が湾曲状の挿入部と、前記挿入部の両端部に突出部を形成すると共に、前記ガイド体の挿入部が前記左廻り及び右廻り誘導溝部内を一端部から他端部に移動するとき、前記乱巻き防止ローラの軸線に対し若干傾斜しながら移動し、前記ガイド体が前記右廻り誘導溝部の他端部に到達すると瞬時に前記乱巻き防止ローラの軸線と平行となり、さらに前記他端部より一端部方向への移動に進行方向が変化すると、前記乱巻き防止ローラの軸線に対する傾斜角度と反対向きの傾斜角度となって前記誘導溝部の一端部に到達し、コード又はホース等の長尺物の乱巻きを防止することを特徴とする請求項１又は請求項２記載の乱巻き防止装置付き電動リール。
【発明の詳細な説明】
【０００１】
【発明の属する技術分野】
本発明は、電気コード又はホース等の長尺物がドラムに捲廻されるとき、不揃いな捲き方を防止して、均一に整列せしめた状態に巻き上がることができるようにすると共に、前記コード又はホース等の長尺物がモータの駆動力を利用して方向自在にしかも自動的に引出しができるようにした乱巻き防止装置付き電動リールの分野に関するものである。
【０００２】
【従来の技術】
従来の技術として、ホースリール装置（特開平７−２５５４９号）があるが、前記発明には引出されたホースをドラムに巻込む際に右サイドから左サイドに、均一に整列せしめた状態に巻込み、さらに左サイドから右サイドに交互に均一に整列状態に巻込む機構を有していない。
【０００３】
さらに従来開示の特許第２８１６９６４号特許公報の発明にも、コードをドラムに巻込むのに、右サイドから左サイドに均一に、整列状態に巻込む機構を具備していない。
【０００４】
そのため従来開示の発明のリールは、コードやホースが捲廻ドラムの特定個所のみ集中的に巻込まれるおそれが多々あった。
【０００５】
さらに前記した従来開示の特許公開公報（特開平７−２５５４９）及び特許第２８１６９６９４号特許公報の発明には、ドラムに巻込まれたホース又はコードが、所定のスピードで自動的に送り出すための機構を具備していない。
【０００６】
そのため、前記コード等を引出すときは、コードの先端部を手指で握持し、コード等の損傷を避けるためにも曲げない、いわゆる直線状態にして引出していた。
【０００７】
【発明が解決しようとする課題】
本発明は、天井や壁面等に取付け使用するリールであって、このリールを構成する捲廻ドラムから取出されていた電気コード又はホース等の長尺物を本発明の乱巻き防止装置付きリールを構成するスイッチ機構又はリモコン装置を操作し、電動モータを正逆何れかの方向に回転せしめることによって、取出されていたコード又はホース等の長尺物が右サイドから左サイド方向に、あるいは左サイドから右サイド方向に順次一列に整列した状態に前記ドラムに巻込まれ、さらに左サイドから右サイド方向に、あるいは右サイドから左サイド方向に、順次均一に整列した状態に前記ドラムに巻込まれ、しかも前記の巻込みが交互に継続的に反覆するようにして、前記コード又はホース等の長尺物が前記ドラムの特定個所に集中的に乱巻きがなされないようにしたものである。
【０００８】
従って、捲廻ドラムに巻込まれていた前記コード等が前記ドラムに偏案した状態で巻込まれることなく、あるいは前記ドラムからあふれた状態に巻込まれることなく、さらに偏案した状態での巻込みがないので、前記コード又はホース等の長尺物の取出しのときも、スムーズに取出しできる。
【０００９】
さらに本発明は、前記ドラムに捲廻されている電気コード又はホース等の長尺物を、本発明のリールを構成するリモコン装置又は電動スイッチ装置を操作することによって、所定長さのコードやホース等の長尺物を所定のスピードで所定角度の範囲で左右両サイド方向に自動送り出しができるようにした。
【００１０】
そのため、前記コードやホース等の長尺物の取出し作業が広角度で前記コード等を損傷させずに取出して作業をスムーズに行うことができるようにした。
【００１１】
【課題を解決するための手段】
請求項１記載の発明は、枠体内にコード又はホース等の長尺物の捲廻ドラムを軸着し、円柱形状ローラ基材の外周部に右廻りの右廻り誘導溝部と左廻りの左廻り誘導部とを交叉状に形成した乱巻き防止ローラを水平状に前記枠体内に取着し、前記乱巻き防止ローラの回転時に前記左廻り及び右廻り誘導溝部からの離脱を阻止する離脱防止部を有し、且若干回転可能なコード又はホース等の長尺物のガイド体を前記枠体内に取着し、前記枠体内にセンドローラと前記センドローラの上方にコード又はホース等の長尺物を押付ける押付けローラを取着し、前記ドラム、乱巻き防止ローラ及びセンドローラを駆動するモーターをリモコン又はスイッチ操作によって駆動せしめることを特徴とする乱巻き防止装置付き電動リールである。
【００１２】
請求項２記載の発明は、前記乱巻き防止ローラの右廻り誘導溝部を、所定の傾斜角度とピッチを有し、且螺旋状にて形成し、左廻り誘導溝部を前記右廻り誘導溝部と同じ傾斜角度とピッチにして、前記左廻り溝部の左側端部から右側端部方向に前記左廻り及び右廻り誘導溝部が前記ローラ基材の外周部の１８０度の位置にて交叉せしめる構造とすることを特徴とする請求項１記載の乱巻き防止装置付き電動リールである。
【００１３】
請求項３記載の発明は、前記ガイド体の上方部を、前記枠体に取着のガイド軸杆にスライド自在にして、且前記左廻り及び右廻り誘導溝部の傾斜角度に対応し若干回転可能となるように装着し、前記ガイド体のガイド部の内側にコード又はホース等の長尺物を出入させる貫通部を形成し、下方部に前記誘導溝部内に嵌挿し、且内側部位が湾曲状の挿入部と、前記挿入部の両端部に突出部を形成すると共に、前記ガイド体の挿入部が前記左廻り及び右廻り誘導溝部内を一端部から他端部に移動するとき、前記乱巻き防止ローラの軸線に対し若干傾斜しながら移動し、前記ガイド体が前記右廻り誘導溝部の他端部に到達すると瞬時に前記乱巻き防止ローラの軸線と平行となり、さらに前記他端部より一端部方向への移動に進行方向が変化すると、前記乱巻き防止ローラの軸線に対する傾斜角度と反対向きの傾斜角度となって前記誘導溝部の一端部に到達し、コード又はホース等の長尺物の乱巻きを防止することを特徴とする請求項１又は請求項２記載の乱巻き防止装置付き電動リールである。
【００１４】
【発明の実施の形態】
請求項１〜３記載の発明の実施の形態は共通しているので、以下のとおり一括して説明する。
【００１５】
図面において、１、２は本発明の乱巻き防止装置付き電動リールを構成する所定の間隔部３を有し、平行状に、且垂直状にした板状の枠体である。前記枠体１、２間にコードｋ又はホース（図示していない）等の長尺物を捲廻する回転ドラムｃを回転自在に取着する。
【００１６】
ａは前記枠体１、２間に水平状にして、且回転する乱巻き防止ローラであり、以下の構成からなっている。
【００１７】
前記乱巻き防止ローラａは、細長い円柱形状のローラ基材の外周部４に、所定の傾斜角度とピッチを有する右廻り誘導溝部５を、ローラ基材の一端部７から他端部８にかけ螺旋状にして形成する。
【００１８】
さらに前記誘溝部５に対して、左廻り誘導溝部６を下記のようにして形成する。前記左廻り誘導溝部６は、前記ローラ基材の他端部から一端部にかけて、前記右廻り誘導溝部５と同じ傾斜角度とピッチで、前記右廻り誘導溝部５と３６０度の外周部４の中、１８０度の部位にて前記した両方の溝部５、６が交叉する交叉状部６ａを形成する。そして前記交叉状部６ａは、夫々直線状となっている。
【００１９】
前記両方の溝部５、６は、図面２、３、・・・に明示されているように３６０度を１周とする複数廻りとなっている。４ａは前記ローラａの一端部７より前記ローラａの軸線上に延設した軸杆である。この軸杆４ａは、枠体２に枠体２より突出させ取着する。
【００２０】
ｂは前記乱巻き防止ローラａが回転すると、前記ローラａの回転と同時に強制的に往復運動をするガイド体であり、以下の構成からなっている。
【００２１】
前記ガイド体ｂは、ガイド体ｂを構成するガイド部１２の内側部にコードｋを出入せしめる貫通部１４を形成する。そして前記ガイド部１２の下方底部に、前記貫通部１４の垂直状の中心線に対し直角状に交叉し、且前記乱巻き防止ローラａの誘導溝部５、６に嵌込む離脱防止部９を形成する。
【００２２】
前記離脱防止９は、前方端部と後方端部に夫々突出部１１、１１を夫々形成し、前記突出部１１、１１の間の内側部位が湾曲状の挿入部１０を形成する。そして前記離脱防止部９の幅員が、前記溝部５、６のピッチより若干狭めた形状にて形成する。
【００２３】
さらに前記ガイド体ｂの上方部を、枠体１、２に水平状に取着した軸杆１６、１６を挿入せしめたスライド部１５の中央に形成した挿入孔に嵌挿し、嵌挿したガイド体ｂの上方部が若干回転するようピン１３でスライド部１５と接続させる。
【００２４】
また前記離脱防止部９が何れか一方の前記誘導溝部５、６に嵌挿すると、挿入部１０の湾曲部と前記誘導溝部５、６の湾曲面とが密着すると共に、前記突出部１１、１１の中、前方溝部の突出部１１が交叉状部６ａに差し掛かっても、後方端部の突出部１１が嵌挿している誘導溝部５と同じ螺旋状の進行方向の溝部５内に確実に前方端部の突出部１１が嵌込みスムーズに進行する構造となっている。
【００２５】
そして前記螺旋状溝部５に前記離脱防止部９が嵌挿しているときは、前記ガイド体ｂは、若干前記乱巻き防止ローラａの軸線に対し、若干傾斜しながら前記ローラａの一端部から他端部方向に、あるいは他端部から一端部方向に移動する。その理由は、前記誘導溝部５、６が共に所定の傾斜角度で、しかも螺旋状に形成されているからである。
【００２６】
前記のように一方の溝部５にガイド体ｂの離脱防止部９が若干傾斜状態で他端部方向に移動したと仮定し、前記離脱防止部９が、他端部の前記溝部５に到達すると、前記ガイド体ｂは、瞬時に前記乱巻き防止ローラａの軸線と平行状態となる。
【００２７】
さらに前記乱巻き防止ローラａが回転しつづけると、前記ガイド体ｂの前方端部の突出部１１が、前記溝部５から他の溝部６に強制的に進行方向が変更し、同時に傾斜反度も前記の場合と反対となって傾斜しながら前記ローラａの一端部方向に移動する。
【００２８】
そして前記離脱防止部９が一端部寄りの溝部６に到達すると、前記ガイド体ｂは前記乱巻き防止ローラａと平行状態となる。
【００２９】
上記のように前記ガイド体ｂが軸杆１６、１６をスライドするスライド部１５を介して、乱巻き防止ローラａの回転に比例して一端部から他端部へ、他端部から一端部へと移動を継続することによって、コードｋ又はホース等の長尺物が前記ドラムｃに、一列に均一に整列しながら巻込むことができる。そのため前記コードｋ又はホース等の長尺物が乱巻き状態となって巻込まれたりしない。なお本発明は前記コードｋ以外にホース又は長尺物として例えばロープ、チェーン等を使用することができる。
【００３０】
さらに巻込まれた前記のコードｋ又はホース等の長尺物が取出されるときも、前記乱巻き防止ローラａは前述とは逆転し、前記ガイド体ｂも前述の移動とは逆方向に移動し、ドラムｃに巻込まれているコードｋ又はホース等の長尺物が巻戻されるだけである。
【００３１】
つぎに前記ドラムｃ、乱巻き防止ローラａ等と共に回転する枠体１、２内に軸杆１７ａを介して取着するセンドローラ１７と、前記センドローラ１７より若干上方に装着し前記コードｋ又はホース等の長尺物を受けたり、受けなかったりする機能のセンドローラ受け部１８について説明する。
【００３２】
前記センドローラ１７とセンドローラ受け部１８との間には、前記コードｋ又はホース等の長尺物が巻込み及び取出しのときも常時介在状態となっている。
【００３３】
そして前記センドローラ受け部１８の機構は、枠体１、２内に水平状に取着する受板軸１９に回動自在にスライド板２０を取着し、且前記スライド板２０の下方にローラ受２１を受軸２２を介して取着する。前記ローラ受２１を受軸２２と前記スライド板２０とはピン２３で支持する。さらに前記コードｋ又はホース等の長尺物が前記ドラムｃに捲廻するときは、前記スライド板２０が若干ドラムｃの方向にはね上り状態となって、前記コードｋ又はホース等の長尺物の送込みをスムーズにし、他方前記コードｋ又はホース等の長尺物が送出されるときは、前記センドローラ１７とローラ受２１との間にある前記コードｋ又はホース等の長尺物を上方から押さえる状態になるように調整させる機構として、前記受板軸１９をバネ２３の捲廻部に挿通し、さらに前記バネ２３の一端部を突起２３ａによって支止し、前記バネ２３の他端部は前記スライド板２０に支止させる。そして前記スライド板２０は前記バネ２３による後方向への進行を固定部２３ｂによって支止されている。
【００３４】
２４はコードｋ又はホース等の長尺物の前方部に取着し、コードｋ又はホース等の長尺物の巻込みをストップさせる前方安全ボール、２５はコードｋ又はホース等の長尺物の送出しをストップさせるコードｋ又はホース等の長尺物の後方部に取着した後方安全ボールである。前記ボール２４、２５の径は、コードｋ又はホース等の長尺物の径より若干大きく形成する。
【００３５】
前記両安全ボールの中、前方安全ボール２４が到達し、コードｋ又はホース等の長尺物の巻込みがストップするときの機構につき説明する。
【００３６】
前記枠体１、２内に、少なく共前記センドローラ１７より前方に、且前記枠体１に水平状に軸杆２６を取着し前記軸杆２６に、前方バネ２７の捲廻部２７ａを挿通し、且前記軸杆２６に前記ドラムｃ方向に折曲する接触下方部２９を有するスイッチ板２８を取着する。
【００３７】
そして前記スイッチ板２８の下方部２９は、コードｋ又はホース等の長尺物の送出し及び巻込み時には前記コードｋ又はホース等の長尺物の表面に接触していない状態である。さらに前記前方バネ２７の捲廻部以外の延設する一端部は、枠体に取着のピン３０によって支止され、他方の延設する他端部は、前記スイッチ板２８を押圧し、押圧されているスイッチ板２８は、枠体１、２に取着のピン３１によって後方への進行が支持されている。
【００３８】
３２は前記枠体２に前記スイッチ板２８と関連するスイッチ機構である。３３は前記スイッチ板２８とスイッチ機構３２の下方に位置し、前記前方ボール２４の下方部が接触する前記枠体１、２内に取着したフリーローラである。
【００３９】
前記スイッチ板２８、スイッチ機構３２とフリーローラ３３と前方ボール２４との関係は、前記コードｋ又はホース等の長尺物が巻込まれて前記ボール２４の外周面がスイッチ板２８の接触下方部２９に当接すると、前記スイッチ板２８を前記ドラムｃの方向に前記軸杆２６に捲廻の前方バネ２７に押圧されているスイッチ板２８が若干はね上り、その瞬間に前記スイッチ機構３２が作動し、接続している前記モータ４３の駆動を停止し、前記コードｋ又はホース等の長尺物の巻込みがストップする。
【００４０】
そしてスイッチ又はリモコンの発信機５６を操作し、送出し操作をすれば、前記前方ボール２４が送出され、前記スイッチ板２８が復元し、前記スイッチ機構３２をＯＦＦにする。
【００４１】
さらにコードｋ又はホース等の長尺物の後方部に取着されている後方安全ボール２５について説明する。
【００４２】
前記枠体１、２の後方部中、乱巻き防止ローラａと回転ドラムｃとの間の枠体１、２内に、水平状に後方軸杆３４を取着し、前記軸杆３４に後方スイッチ板３５を挿通する。さらに前記後方スイッチ板３５の上方部には、外側方に折曲する上方接触部３６を形成する。そして前記後方軸杆３４に後方バネ３７の捲廻部３５ａを挿通し、前記バネ３７の一端部を枠体２に取着のピン３８に係止し、前記バネ３７の他端部は前記後方スイッチ板３５を押圧支止している。３９は前記枠体２に取着の上方ピンであり、前記後方スイッチ板３５の進行を阻止している。４０は前記枠体２に取着の後方スイッチ機構である。
【００４３】
４１は前記枠体１、２内に水平状に取着の後方安全ボール２５の前進をストップさせる後方フリーローラである。
【００４４】
前記後方安全ボール２５とスイッチ板３５と後方スイッチ機構４０との関係は以下のとおりである。
【００４５】
前記フリーローラ４１と前記後方スイッチ板３５との間を前記コードｋ又はホース等の長尺物は、前進したり、後進したりしているが、一定の長さだけ前進すると、前記後方安全ボール２５が前記後方フリーローラ４１に当接し前記ボール２５はストップし、同時に後方バネ３７によってはね上げられている前記後方スイッチ板３５の上方接触部３６が下方に若干押圧されると同時に、後方スイッチ機構４０を動作し、モーター４３の駆動をストップし、コードｋ又はホース等の長尺物の進行もストップする。
【００４６】
従って、再度スイッチもしくはリモコンを操作してドラムｃにコードｋ又はホース等の長尺物を捲廻させれば、前記後方安全ボール２５が前記後方フリーローラ４１と後方スイッチ板３５から離脱し、後方スイッチ板３５は前記バネ３７によって復元する。
【００４７】
つぎにモータ４３の駆動によって乱巻き防止ローラａ、ガイド体ｂ、センドローラ１７、捲廻用ドラムｃ、コードｋ又はホース等の長尺物を駆動させるための駆動機構につき説明する。
【００４８】
４３は前記枠体１、２に取着する正逆転モータであり、このモータ４３の駆動軸４４にモータ側スプロケットホイル４５を軸着する。
【００４９】
４６はコードｋ又はホース等の長尺物の捲廻ドラムｃの中心に取着のセンター軸であり、この軸４６にドラム側スプロケットホイル４７を軸着する。４８は軸受である。
【００５０】
４９は乱巻き防止ローラａの軸杆４ａに軸着した大ギヤ５０と同軸の乱巻き防止ローラ側スプロケットホイルである。
【００５１】
５１は枠体２の外側方に取着した軸杆５２に軸着した調整小ギヤであり、さらに同軸上に調整大ギヤ５３を軸着する。
【００５２】
前記乱巻き防止ローラａの軸杆４ａに軸着の大ギヤ５０と前記調整用小ギヤ５１とは噛合する。
【００５３】
５４は枠体２の外側方に突出するセンドローラ１７の軸杆１７ａに前記調整大ギヤ５３と噛合するセンドローラ側ギヤである。
【００５４】
５５はモータ側スプロケットホイル４５とドラム側スプロケットホイル４７と乱巻き防止ローラ側スプロケットホイル４９に捲廻したブッシュチェンである。
【００５５】
以上がモータ４３の駆動力を伝達する駆動機構である。
【００５６】
さらに前記正逆転モータ４３は、スイッチ又はリモコンを操作し、前記モータ４３を正、逆何れかの方向に駆動操作を施し、前記コードｋ又はホース等の長尺物を引出しもしくは巻込みを行うものである。
【００５７】
本発明は、前記した駆動機構によってドラムｃに捲廻のコードｋ又はホース等の長尺物の送出しスピードを使用者が作業をスムーズに行うことができるスピードで調整したものである。
【００５８】
４２は枠体１に取着したコンデンサー、５６はリモコン用発信機、５７はリモコン用受信機、５８はカバーである。
【００５９】
さらに本発明は、ドラムｃにコードｋ又はホース等の長尺物が右側方から左側方へ、左側方から右側方へと順次一列に整列状態で巻込むために、モータ４３の１回転のスピードを減速して回転ドラムｃと乱巻き防止ローラａの回転が夫々１回転する構造としている。
【００６０】
【発明の効果】
請求項１記載の発明は、枠体内にコード又はホース等の長尺物の捲廻ドラムを軸着し、円柱形状ローラ基材の外周部に右廻りの右廻り誘導溝部と左廻りの左廻り誘導部とを交叉状に形成した乱巻き防止ローラを水平状に前記枠体内に取着し、前記乱巻き防止ローラの回転時に前記左廻り及び右廻り誘導溝部からの離脱を阻止する離脱防止部を有し、且若干回転可能なコード又はホース等の長尺物のガイド体を前記枠体内に取着し、前記枠体内にセンドローラと前記センドローラの上方にコード等を押付ける押付けローラを取着し、前記ドラム、乱巻き防止ローラ及びセンドローラを駆動するモーターをリモコン又はスイッチ操作によって駆動せしめる乱巻き防止装置付き電動リールなので、取り出されているコードもしくはホース等の長尺物のドラムへの捲廻時に、一列に順序良く整列した状態で、ドラムの右側方から左側方へと、さらに左側方から右側方へと捲廻させて、乱巻きを防止せしめた。
【００６１】
さらに本発明は、前記ドラムに捲廻されている電気コード又はホース等の長尺物を、リモコン装置又は電動スイッチ装置を操作して所定長さのコード等を所定のスピードで、しかも所定角度の範囲内で、前記コード又はホース等の長尺物を損傷させずに左右両サイドに自動送り出しができる利点を有している。
【００６２】
請求項２記載の発明は、前記乱巻き防止ローラの右廻り誘導溝部を、所定の傾斜角度とピッチを有し、且螺旋状にて形成し、左廻り誘導溝部を前記右廻り誘導溝部と同じ傾斜角度とピッチにして、且螺旋状にて形成すると共に、前記左廻り及び右廻り誘導溝部が前記ローラ基材の外周部の１８０度の位置にて交叉せしめる構造とする乱巻き防止装置付き電動リールなので、請求項１記載の発明の効果と同じ効果がある。
【００６３】
請求項３記載の発明は、前記ガイド体の上方部を、前記枠体に取着のガイド軸杆にスライド自在にして、且前記左廻り及び右廻り誘導溝部の傾斜角度に対応し若干回転可能となるように装着し、前記ガイド体のガイド部の内側にコード又はホース等の長尺物を出入させる貫通部を形成し、下方部に前記誘導溝部内に嵌挿し、且内側部位が湾曲状の挿入部と、前記挿入部の両端部に突出部を形成すると共に、前記ガイド体の挿入部が前記左廻り及び右廻り誘導溝部内を一端部から他端部に移動するとき、前記乱巻き防止ローラの軸線に対し若干傾斜しながら移動し、前記ガイド体が前記右廻り誘導溝部の他端部に到達すると瞬時に前記乱巻き防止ローラの軸線と平行となり、さらに前記他端部より一端部方向への移動に進行方向が変化すると、前記乱巻き防止ローラの軸線に対する傾斜角度と反対向きの傾斜角度となって前記誘導溝部の一端部に到達し、コード又はホース等の長尺物の乱巻きを防止する乱巻き防止装置付き電動リールなので、前記請求項１記載と同じ効果を有している。
【図面の簡単な説明】
【図１】本発明乱巻き防止装置付き電動リールの一部切欠斜視図である。
【図２】同要部の乱巻き防止ローラに対しスライドするガイドとのスライド状態を示す斜視図である。
【図３】図２のガイド体が進行方向を変更したときの状態を示す斜視図である。
【図４】ガイド体の取着状態を示す斜視図である。
【図５】Ａ、Ｂは、ガイド体の正面図と側面図である。
【図６】乱巻き防止ローラにガイド体が嵌込んでいる状態の一部切欠正面図である。
【図７】乱巻き防止ローラとセンドローラの一部切平正面図である。
【図８】本発明リールの正面図である。
【図９】同リールの正面図である。
【図１０】同要部の拡大側面図である。
【図１１】同リールの背面よりみた一部切欠斜視図である。
【符号の説明】
ａ        乱巻き防止ローラ
ｂ        ガイド体
ｃ        捲廻ドラム
ｋ        コード
１        枠体
２        枠体
３        間隔部
４        外周部
５        右廻り誘導溝部
６        左廻り誘導溝部
６ａ      交叉状部
７        一端部
８        他端部
９        離脱防止部
１０      挿入部
１１      突出部
１２      ガイド部
１３      ピン
１４      貫通孔
１５      スライド部
１６      軸杆
１７      センドローラ
１７ａ    軸杆
１８      センドローラ受部
１９      受板部
２０      スライド板
２１      ローラ受
２２      受軸
２３      バネ
２３ａ    突起
２３ｂ    固定部
２４      前方安全ボール
２５      後方安全ボール
２６      軸杆
２７      前方バネ
２７ａ    捲廻部
２８      スイッチ板
２９      接触下方部
３０      ピン
３１      ピン
３２      スイッチ機構
３３      フリーローラ
３４      軸杆
３５      スイッチ板
３５ａ    捲廻部
３６      上方接触部
３７      後方バネ
３８      ピン
３９      上方ピン
４０      後方スイッチ機構
４１      後方フリーローラ
４２      コンデンサー
４３      モータ
４４      駆動軸
４５      スプロケットホイル
４６      センター軸
４７      スプロケットホイル
４８      軸受
４９      スプロケットホイル
５０      大ギヤ
５１      調整小ギヤ
５２      軸杆
５３      調整大ギヤ
５４      センドローラ側ギヤ
５５      ブッシュチェン
５６      リモコン発信機
５７      リモコン受信機
５８      カバー
【図１】
2004331310.tif 000003
【図２】
2004331310.tif 000004
【図３】
2004331310.tif 000005
【図４】
2004331310.tif 000006
【図５】
2004331310.tif 000007
【図６】
2004331310.tif 000008
【図７】
2004331310.tif 000009
【図８】
2004331310.tif 000010
【図９】
2004331310.tif 000011
【図１０】
2004331310.tif 000012
【図１１】
2004331310.tif 000013